(57)【要約】    【課題】  全ズーム範囲にわたり高い光学性能を有し、全系の小型化と軽量化が容易なズームレンズを得ること。    【解決手段】  正の第１レンズ群、正の第２レンズ群、負の第３レンズ群、正の第４レンズ群、後群より構成され、ズーミングに際して隣り合うレンズ群の間隔が変化するズームレンズであり、広角端から望遠端へのズーミングに際し第１レンズ群は物体側に移動し、第１レンズ群と第２レンズ群の間隔が増加し、第２レンズ群と第３レンズ群の間隔が増加し、望遠端における全系の焦点距離ｆｔ、望遠端におけるレンズ全長Ｔｄｔ、広角端から望遠端へのズーミングに際しての第１レンズ群と第２レンズ群の間隔変化量ΔＤ１２、広角端から望遠端へのズーミングに際しての第２レンズ群と第３レンズ群の間隔変化量ΔＤ２３を各々適切に設定し、間隔変化量の符号は、間隔が増加するときを正、間隔が減少するときを負とすること。【選択図】    図１
2019045555.tif 000002
【特許請求の範囲】
【請求項１】
物体側より像側へ順に配置された、正の屈折力の第１レンズ群、正の屈折力の第２レンズ群、負の屈折力の第３レンズ群、正の屈折力の第４レンズ群、１つ以上のレンズ群を含む後群より構成され、ズーミングに際して隣り合うレンズ群の間隔が変化するズームレンズであって、
広角端から望遠端へのズーミングに際し、第１レンズ群は物体側に移動し、前記第１レンズ群と前記第２レンズ群の間隔が増加し、第２レンズ群と第３レンズ群の間隔が増加し、
望遠端における全系の焦点距離をｆｔ、望遠端におけるレンズ全長をＴｄｔ、広角端から望遠端へのズーミングに際しての前記第１レンズ群と前記第２レンズ群の間隔変化量をΔＤ１２、広角端から望遠端へのズーミングに際しての前記第２レンズ群と前記第３レンズ群の間隔変化量をΔＤ２３とし、間隔変化量の符号は、広角端に比べて望遠端において間隔が増加するときを正、広角端に比べて望遠端において間隔が減少するときを負とするとき、
０．５＜ｆｔ／Ｔｄｔ
１．３＜ΔＤ１２／ΔＤ２３＜５．０
なる条件式を満たすことを特徴とするズームレンズ。
【請求項２】
前記第１レンズ群の焦点距離をｆＬ１、前記第２レンズ群の焦点距離をｆＬ２とするとき、
０．５＜ｆＬ１／ｆＬ２＜２．０
なる条件式を満たすことを特徴とする請求項１に記載のズームレンズ。
【請求項３】
前記第１レンズ群は、負レンズと正レンズより構成されることを特徴とする請求項１または２に記載のズームレンズ。
【請求項４】
前記第２レンズ群は、１枚の正レンズを含む２枚以下のレンズより構成されることを特徴とする請求項１乃至３のいずれか１項に記載のズームレンズ。
【請求項５】
前記第２レンズ群は物体側に凸面を向けたメニスカス形状の正レンズを含むことを特徴とする請求項１乃至４のいずれか１項に記載のズームレンズ。
【請求項６】
広角端から望遠端へのズーミングに際して、前記第３レンズ群は、像側に移動することを特徴とする請求項１乃至５のいずれか１項に記載のズームレンズ。
【請求項７】
前記第２レンズ群は、ズーミングに際し、不動であることを特徴とする請求項１乃至６のいずれか１項に記載のズームレンズ。
【請求項８】
広角端から望遠端へのズーミングにおける前記第１レンズ群の移動量をΔＭ１、広角端におけるレンズ全長をＴｄｗとし、レンズ群の移動量の符号は、広角端に比べて望遠端において像側に位置するときを正、広角端に比べて望遠端において物体側に位置するときを負とするとき、
０．２＜−ΔＭ１／Ｔｄｗ＜０．５
なる条件式を満たすことを特徴とする請求項１乃至７のいずれか１項に記載のズームレンズ。
【請求項９】
広角端から望遠端へのズーミングに際する前記第３レンズ群の移動量をΔＭ３、広角端におけるレンズ全長をＴｄｗとし、レンズ群の移動量の符号は、広角端に比べて望遠端において像側に位置するときを正、広角端に比べて望遠端において物体側に位置するときを負とするとき、
０．０３＜ΔＭ３／Ｔｄｗ＜０．２５
なる条件式を満たすことを特徴とする請求項１乃至８のいずれか１項に記載のズームレンズ。
【請求項１０】
広角端から望遠端へのズーミングに際しての前記第１レンズ群と前記第３レンズ群の間隔変化量をΔＤ１３、広角端におけるレンズ全長をＴｄｗとするとき、
０．２＜ΔＤ１３／Ｔｄｗ＜０．８
なる条件式を満たすことを特徴とする請求項１乃至９のいずれか１項に記載のズームレンズ。
【請求項１１】
前記第１レンズ群の焦点距離をｆＬ１、前記第２レンズ群の焦点距離をｆＬ２、前記第３レンズ群の焦点距離をｆＬ３、前記第４レンズ群の焦点距離をｆＬ４とするとき、
０．７＜ｆＬ１／ｆｔ＜２．０
０．６＜ｆＬ２／ｆｔ＜２．５
０．１＜−ｆＬ３／ｆｔ＜０．５
０．１５＜ｆＬ４／ｆｔ＜０．６０
なる条件式を満たすことを特徴とする請求項１乃至１０のいずれか１項に記載のズームレンズ。
【請求項１２】
前記後群は、物体側から像側へ順に配置された、負の屈折力の第５レンズ群、正の屈折力の第６レンズ群、負の屈折力の第７レンズ群、正の屈折力の第８レンズ群、負の屈折力の第９レンズ群より構成されることを特徴とする請求項１乃至１１のいずれか１項に記載のズームレンズ。
【請求項１３】
前記後群は、物体側から像側へ順に配置された、負の屈折力の第５レンズ群、正の屈折力の第６レンズ群、負の屈折力の第７レンズ群、正の屈折力の第８レンズ群より構成されることを特徴とする請求項１乃至１１のいずれか１項に記載のズームレンズ。
【請求項１４】
前記後群は、物体側から像側へ順に配置された、負の屈折力の第５レンズ群Ｌ５、正の屈折力の第６レンズ群Ｌ６より構成されることを特徴とする請求項１乃至１１のいずれか１項に記載のズームレンズ。
【請求項１５】
請求項１乃至１４のいずれか１項に記載のレンズシステムを有することを特徴とする撮像装置。
【発明の詳細な説明】
【技術分野】
【０００１】
本発明は、ズームレンズ及びそれを有する撮像装置に関し、デジタルカメラ、ビデオカメラ、ＴＶカメラ、監視用カメラ等の撮像装置に用いられる撮像光学系に好適なものである。
【背景技術】
【０００２】
撮像装置（カメラ）に用いる撮像光学系には、用途に応じて様々な焦点距離や口径の撮像光学系が要望されている。例えば、遠くの被写体を所望の画角で拡大撮影できる望遠型のズームレンズに対しては、レンズ全長が短く、全系が小型で軽重量のズームレンズであること等が要望されている。
【０００３】
望遠型のズームレンズは、望遠端において、レンズ全長よりも焦点距離が長くなる場合が多い。このようなズームレンズは望遠端における全系の焦点距離とＦ値で前玉有効径が決定される。このとき、前玉有効径が大径化してくると、光学材料が重くなり、それを保持する鏡筒も剛性を上げるために重くなってくる。そのため望遠型のズームレンズには、全系の軽量化が強く望まれている。従来、望遠型のズームレンズが種々と提案されている（特許文献１、２）。
【０００４】
特許文献１は物体側から像側へ順に配置された、正、負、正、正の屈折力の第１レンズ群乃至第４レンズ群より構成されている。そしてズーミングに際して第１レンズ群が不動で、ズーミングに際して隣り合うレンズ群の間隔が変化するズームレンズを開示している。特許文献２は物体側から像側へ順に配置された、正、負、正、負、正、負の屈折力の第１レンズ群乃至第６レンズ群より構成されている。そしてズーミングに際して第１レンズ群が移動し、ズーミングに際して隣り合うレンズ群の間隔が変化するズームレンズを開示している。
【先行技術文献】
【特許文献】
【０００５】
【特許文献１】特開２０１４−０３５４８０号公報
【特許文献２】特開２０１５−１９１００８号公報
【発明の概要】
【発明が解決しようとする課題】
【０００６】
撮像装置に用いるズームレンズには、レンズ系全体が小型で軽量で全ズーム範囲にわたり高い光学性能を有すること等が要望されている。
【０００７】
一般に望遠型のズームレンズは前方レンズ群（第１レンズ群）の有効径が大きくなり、また前方レンズ群の重量が増大する傾向がある。このため望遠型のズームレンズにおいて、全系の小型化と軽量化を図りつつ、全ズーム範囲にわたり高い光学性能を得るには、ズームタイプ（レンズ群の数や各レンズ群の屈折力等）や、前方レンズ群のレンズ構成等を適切に設定することが重要になってくる。
【０００８】
本発明は、全ズーム範囲にわたり高い光学性能を有し、全系の小型化と軽量化が容易なズームレンズ及びそれを有する撮像装置を提供することを目的とする。
【課題を解決するための手段】
【０００９】
本発明のズームレンズは、物体側より像側へ順に配置された、正の屈折力の第１レンズ群、正の屈折力の第２レンズ群、負の屈折力の第３レンズ群、正の屈折力の第４レンズ群、１つ以上のレンズ群を含む後群より構成され、ズーミングに際して隣り合うレンズ群の間隔が変化するズームレンズであって、
広角端から望遠端へのズーミングに際し、第１レンズ群は物体側に移動し、前記第１レンズ群と前記第２レンズ群の間隔が増加し、第２レンズ群と第３レンズ群の間隔が増加し、
望遠端における全系の焦点距離をｆｔ、望遠端におけるレンズ全長をＴｄｔ、広角端から望遠端へのズーミングに際しての前記第１レンズ群と前記第２レンズ群の間隔変化量をΔＤ１２、広角端から望遠端へのズーミングに際しての前記第２レンズ群と前記第３レンズ群の間隔変化量をΔＤ２３とし、間隔変化量の符号は、広角端に比べて望遠端において間隔が増加するときを正、広角端に比べて望遠端において間隔が減少するときを負とするとき、
０．５＜ｆｔ／Ｔｄｔ
１．３＜ΔＤ１２／ΔＤ２３＜５．０
なる条件式を満たすことを特徴としている。
【発明の効果】
【００１０】
本発明によれば、全ズーム範囲にわたり高い光学性能を有し、全系の小型化と軽量化が容易なズームレンズが得られる。
【図面の簡単な説明】
【００１１】
【図１】本発明の実施例１の広角端における断面図
【図２】（Ａ）、（Ｂ）  本発明の実施例１の物体距離無限遠時の広角端と望遠端における縦収差図
【図３】本発明の実施例２の広角端における断面図
【図４】（Ａ）、（Ｂ）  本発明の実施例２の物体距離無限遠時の広角端と望遠端における縦収差図
【図５】本発明の実施例３の広角端における断面図
【図６】（Ａ）、（Ｂ）  本発明の実施例３の物体距離無限遠時の広角端と望遠端における縦収差図
【図７】本発明の実施例４の広角端における断面図
【図８】（Ａ）、（Ｂ）  本発明の実施例４の物体距離無限遠時の広角端と望遠端における縦収差図
【図９】本発明の撮像装置の要部概略図
【発明を実施するための形態】
【００１２】
以下に本発明の好ましい実施の形態を添付の図面に基づいて詳細に説明する。本発明のズームレンズは、物体側より像側へ順に配置された、正の屈折力の第１レンズ群、正の屈折力の第２レンズ群、負の屈折力の第３レンズ群、正の屈折力の第４レンズ群、１つ以上のレンズ群を含む後群より構成されている。そしてズーミングに際して隣り合うレンズ群の間隔が変化するズームレンズである。
【００１３】
尚、本発明における、レンズ群の定義は、最も物体側のレンズ面、最も像側のレンズ面、ズーミングで変化する間隔の前後のレンズ面のうち、いずれかに挟まれた、１枚以上のレンズの集合体を言う。
【００１４】
図１は本発明の実施例１の広角端におけるレンズ断面図である。図２（Ａ）、（Ｂ）は実施例１の無限遠に合焦（フォーカス）したときの広角端、望遠端における収差図である。実施例１はズーム比２．７１、Ｆナンバー２．９０〜３．３６のズームレンズである。図３は本発明の実施例２の広角端におけるレンズ断面図である。図４（Ａ）、（Ｂ）は実施例２の無限遠に合焦したときの広角端、望遠端における収差図である。実施例２はズーム比２．７１、Ｆナンバー２．９１〜２．９８のズームレンズである。
【００１５】
図５は本発明の実施例３の広角端におけるレンズ断面図である。図６（Ａ）、（Ｂ）は実施例３の無限遠に合焦したときの広角端、望遠端における収差図である。実施例３はズーム比２．７１、Ｆナンバー２．９０のズームレンズである。図７は本発明の実施例４の広角端におけるレンズ断面図である。図８（Ａ）、（Ｂ）は実施例４の無限遠に合焦したときの広角端、望遠端における収差図である。実施例４はズーム比１．９５、Ｆナンバー４．００のズームレンズである。図９は本発明の撮像装置の要部概略図である。
【００１６】
各実施例のズームレンズはビデオカメラやデジタルカメラ等の撮像装置に用いられる撮像光学系である。レンズ断面図において、左方が物体側（前方）で、右方が像側（後方）である。尚、各実施例のズームレンズをプロジェクターに用いても良く、このときは左方がスクリーン側、右方が被投射画像側となる。レンズ断面図においてＬ０はズームレンズである。ｉは物体側からのレンズ群の順番を示し、Ｌｉは第ｉレンズ群である。ＬＲは１つ以上のレンズ群を含む後群である。
【００１７】
ＳＰは光量調整用の開口絞りである。ＳＳＰは開口径が一定のフレアーカット絞り（ＦＳ絞り）である。ＩＳは像ぶれ補正用のレンズ系である。ＩＰは像面であり、ビデオカメラやデジタルスチルカメラの撮像光学系として使用する際にはＣＣＤセンサやＣＭＯＳセンサ等の固体撮像素子（光電変換素子）の撮像面に相当する。レンズ断面図において、実線の矢印は無限遠に合焦したときに広角端から望遠端へのズーミングにおける各レンズ群の移動軌跡を示している。
【００１８】
収差図のうち、球面収差図において実線のｄはｄ線（波長５８７．６ｎｍ）、２点鎖線のｇはｇ線（波長４３５．８ｎｍ）である。非点収差図において点線のＭはｄ線でのメリディオナル像面、実線のＳはｄ線でのサジタル像面である。また、歪曲を示す図はｄ線における歪曲を示している。倍率色収差はｇ線について示している。ＦｎｏはＦナンバー、ωは半画角である。尚、以下の各実施例において広角端と望遠端は変倍用レンズ群が機構上光軸上を移動可能な範囲の両端に位置したときのズーム位置をいう。
【００１９】
実施例１のズームレンズは、物体側から像側へ順に配置された、正の屈折力の第１レンズ群Ｌ１、正の屈折力の第２レンズ群Ｌ２、負の屈折力の第３レンズ群Ｌ３、正の屈折力の第４レンズ群Ｌ４を有する。更に負の屈折力の第５レンズ群Ｌ５、正の屈折力の第６レンズ群Ｌ６、負の屈折力の第７レンズ群Ｌ７、正の屈折力の第８レンズ群Ｌ８、負の屈折力の第９レンズ群Ｌ９より構成されている。後群ＬＲは第５レンズ群Ｌ５乃至第９レンズ群Ｌ９より構成されている。
【００２０】
実施例１ではズーミングに際して第２レンズ群Ｌ２と第６レンズ群Ｌ６と第８レンズ群Ｌ８は不動である。広角端から望遠端へのズーミングに際して第１レンズ群Ｌ１が物体側に移動し、第３レンズ群Ｌ３が像側に移動し、第４レンズ群Ｌ４が像側に移動し、第５レンズ群Ｌ５が像側に移動する。また第７レンズ群Ｌ７が物体側に移動し、第９レンズ群Ｌ９が物体側に移動している。
【００２１】
実施例２、３のズームレンズは、物体側から像側へ順に配置された、正の屈折力の第１レンズ群Ｌ１、正の屈折力の第２レンズ群Ｌ２、負の屈折力の第３レンズ群Ｌ３、正の屈折力の第４レンズ群Ｌ４を有する。更に負の屈折力の第５レンズ群Ｌ５、正の屈折力の第６レンズ群Ｌ６、負の屈折力の第７レンズ群Ｌ７、正の屈折力の第８レンズ群Ｌ８より構成されている。後群ＬＲは第５レンズ群Ｌ５乃至第８レンズ群Ｌ８より構成されている。
【００２２】
実施例２、３ではズーミングに際して第２レンズ群Ｌ２と第６レンズ群Ｌ６は不動である。広角端から望遠端へのズーミングに際して第１レンズ群Ｌ１が物体側に移動し、第３レンズ群Ｌ３が像側に移動し、第４レンズ群Ｌ４が像側に移動する。また、第５レンズ群Ｌ５が像側に移動し、第７レンズ群Ｌ７が物体側に移動し、第８レンズ群Ｌ８が物体側に移動している。
【００２３】
実施例４のズームレンズは、物体側から像側へ順に配置された、正の屈折力の第１レンズ群Ｌ１、正の屈折力の第２レンズ群Ｌ２、負の屈折力の第３レンズ群Ｌ３、正の屈折力の第４レンズ群Ｌ４を有する。更に負の屈折力の第５レンズ群Ｌ５、正の屈折力の第６レンズ群Ｌ６より構成されている。後群ＬＲは第５レンズ群Ｌ５と第６レンズ群Ｌ６より構成されている。
【００２４】
実施例４ではズーミングに際して第２レンズ群Ｌ２と第４レンズ群Ｌ４は不動である。広角端から望遠端へのズーミングに際して第１レンズ群Ｌ１が物体側に移動し、第３レンズ群Ｌ３が像側に移動し、第５レンズ群Ｌ５が物体側に移動し、第６レンズ群Ｌ６が物体側に移動している。
【００２５】
ポジティブリード型のズームレンズで、広角端から望遠端へのズーミングに際して、第１レンズ群を物体側に大きく繰り出す望遠型のズームレンズは、望遠端において軸上光線の入射高ｈが大きくなる。このため、第１レンズ群の有効径が大径化する。また第２レンズ群より像側のレンズ群は、第１レンズ群の正の屈折力で収斂させるため、ある程度有効径は小径化されてくる。
【００２６】
そのため、望遠端において軸上光線の入射高が高い位置に配置されるレンズ群は、第１レンズ群のみとなる。このため、第１レンズ群は、第１レンズ群だけで有る程度収差補正されている必要がある。そのため、第１レンズ群には、少なくとも低分散の材料よりなる１枚の正レンズと高分散の材料よりなる１枚の負レンズが必要になってくる。更に高画質化のためには、低分散の材料よりなる正レンズを更に用いるのが良い。
【００２７】
望遠型のズームレンズでは、この３枚のレンズが光学系の重量の大半を占めることが多い。望遠型のズームレンズの設計の際は、この２枚目の正レンズの存在が、光学性能と軽量化を図るのに重要になってくる。
【００２８】
本発明のズームレンズでは、これら３枚のうち、１枚の正レンズを第１レンズ群から分離し、正の屈折力の第１レンズ群と正の屈折力の第２レンズ群の２つのレンズ群より構成した。そして、負の屈折力の第３レンズ群に対する相対移動量を、第１レンズ群よりも小さくした。それにより、第１レンズ群から第３レンズ群に向かって収斂する光線の途中に第２レンズ群が配置されるようにして、第２レンズ群の有効径を小径化している。
【００２９】
そして広角端から望遠端へのズーミングに際して第１レンズ群と第２レンズ群の間隔が第２レンズ群と第３レンズ群の間隔よりも大きく変化するようにして変倍効果を高めつつ軸上収差を良好に補正している。
【００３０】
本発明のズームレンズでは、広角端から望遠端へのズーミングに際し、第１レンズ群Ｌ１は物体側に移動し、第１レンズ群Ｌ１と第２レンズ群Ｌ２の間隔が増加し、第２レンズ群Ｌ２と第３レンズ群Ｌ３の間隔が増加する。望遠端における全系の焦点距離をｆｔ、望遠端におけるレンズ全長をＴｄｔとする。ここでレンズ全長とは、物体側の第１レンズ面から最終レンズ面までの距離に空気換算長のバックフォーカスの値を加えた長さである。バックフォーカスは最終レンズ面から像面までの空気換算での長さである。
【００３１】
広角端から望遠端へのズーミングに際しての第１レンズ群Ｌ１と第２レンズ群Ｌ２の間隔変化量をΔＤ１２、広角端から望遠端へのズーミングに際しての第２レンズ群Ｌ２と第３レンズ群Ｌ３の間隔変化量をΔＤ２３とする。間隔変化量の符号は、広角端に比べて望遠端において間隔が増加するときを正、広角端に比べて望遠端において間隔が減少するときを負とする。
【００３２】
このとき、
０．５＜ｆｔ／Ｔｄｔ                ・・・（１）
１．３＜ΔＤ１２／ΔＤ２３＜５．０  ・・・（２）
なる条件式を満たす。
【００３３】
次に前述の各条件式の技術的意味について説明する。条件式（１）の下限値を超えると、第１レンズ群Ｌ１において軸上光線の入射高ｈが十分に大きくならない。そうすると、望遠型のズームレンズとしての構成が不十分になってくる。
【００３４】
条件式（２）は、広角端から望遠端へのズーミングに際しての第１レンズ群Ｌ１と第２レンズ群Ｌ２の間隔変化と、第２レンズ群Ｌ２と第３レンズ群Ｌ３の間隔変化の比を適切にするためのものである。条件式（２）の上限値を超えて、望遠端において、第２レンズ群Ｌ２が第３レンズ群Ｌ３側に寄り過ぎると、軸上収差を良好に補正するのが困難になる。条件式（２）の下限値を超えて、望遠端において、第２レンズ群Ｌ２が第１レンズ群Ｌ１側に寄り過ぎると、第２レンズ群Ｌ２の有効径が大径化し、全系の軽量化が困難となる。
【００３５】
好ましくは条件式（１）、（２）の数値範囲を次の如く設定するのが良い。
０．６＜ｆｔ／Ｔｄｔ                ・・・（１ａ）
２．０＜ΔＤ１２／ΔＤ２３＜４．５  ・・・（２ａ）
【００３６】
各実施例において、更に好ましくは次の条件式のうち１つ以上を満足するのが良い。第１レンズ群Ｌ１の焦点距離をｆＬ１、第２レンズ群Ｌ２の焦点距離をｆＬ２とする。広角端から望遠端へのズーミングにおける第１レンズ群Ｌ１の移動量をΔＭ１とする。ここでレンズ群の移動量とは、広角端におけるレンズ群の光軸上の位置と望遠端におけるレンズ群の光軸上の位置の差をいう。レンズ群の移動量の符号は広角端に比べて望遠端において像側に位置するときを正、物体側に位置するときを負とする。広角端におけるレンズ全長をＴｄｗとする。
【００３７】
広角端から望遠端へのズーミングに際する第３レンズ群Ｌ３の移動量をΔＭ３とする。広角端から望遠端へのズーミングに際しての第１レンズ群Ｌ１と第３レンズ群Ｌ３の間隔変化量をΔＤ１３とする。第１レンズ群Ｌ１の焦点距離をｆＬ１、第２レンズ群Ｌ２の焦点距離をｆＬ２、第３レンズ群Ｌ３の焦点距離をｆＬ３、第４レンズ群Ｌ４の焦点距離をｆＬ４とする。
【００３８】
このとき、次の条件式のうち１つ以上を満足するのが良い。
０．５＜ｆＬ１／ｆＬ２＜２．０      ・・・（３）
０．２＜−ΔＭ１／Ｔｄｗ＜０．５    ・・・（４）
０．０３＜ΔＭ３／Ｔｄｗ＜０．２５  ・・・（５）
０．２＜ΔＤ１３／Ｔｄｗ＜０．８    ・・・（６）
０．７＜ｆＬ１／ｆｔ＜２．０        ・・・（７）
０．６＜ｆＬ２／ｆｔ＜２．５        ・・・（８）
０．１＜−ｆＬ３／ｆｔ＜０．５      ・・・（９）
０．１５＜ｆＬ４／ｆｔ＜０．６０    ・・・（１０）
【００３９】
次に前述の各条件式の技術的意味について説明する。条件式（３）は、第１レンズ群Ｌ１の正の屈折力と第２レンズ群Ｌ２の正の屈折力の屈折力配分を適切にするためのものである。条件式（３）の上限値を超えて、第１レンズ群Ｌ１の正の屈折力が弱過ぎると、変倍効果を得るのが困難となる。条件式（３）の下限値を超えて、第２レンズ群Ｌ２の正の屈折力が弱過ぎると、軸上収差の補正が困難になる。
【００４０】
条件式（４）は、ズーミングに際しての第１レンズ群Ｌ１の移動量と広角端におけるレンズ全長の関係、即ち第１レンズ群Ｌ１の鏡筒の長さと本体のレンズ全長の関係を良好にし、簡易な鏡筒構造とするためのものである。条件式（４）の上限値を超えると、レンズ全長に対して第１レンズ群Ｌ１の鏡筒長が長くなり過ぎ、多重繰り出し構造等の複雑な機構になり、全体が重量化してくる。条件式（４）の下限値を超えて、第１レンズ群Ｌ１の移動量が小さくなると、ズーミングに際して軸上色収差の変動を補正するのが困難になる。
【００４１】
条件式（５）は、第１レンズ群Ｌ１と第３レンズ群Ｌ３の移動機構を簡易にするためのものである。ズーミングに際して第１レンズ群Ｌ１と第３レンズ群Ｌ３は、逆方向に移動するため、各レンズ群の移動軌跡を切ったカム環のレイアウトが難しくなる。
【００４２】
通常、各レンズ群の移動方向が同じ場合は、移動軌跡をオーバーラップしてレイアウトすることができる。しかしながら、逆方向に移動する場合、オーバーラップができない。即ち、第１レンズ群Ｌ１と第３レンズ群Ｌ３の移動量を足したもので、カム環の全長が決まって来る。そのため、条件式（５）の上限値を超えると、カム環が長くなり、即ち本体の全長が大型化してくるため好ましくない。条件式（５）の下限値を超えると、第１レンズ群Ｌ１および第２レンズ群Ｌ２との間隔変化を十分に取れなくなるため、好ましくない。
【００４３】
条件式（６）は、ズーミングに際しての第１レンズ群Ｌ１と第３レンズ群Ｌ３の間隔変化を適切にするためのものである。条件式（６）の上限値を超えると、カム環のレイアウトが困難になり、レンズ全長が長くなるため、好ましくない。条件式（６）の下限値を超えると、ズーミングに伴う軸上収差の変動が大きくなるため好ましくない。
【００４４】
条件式（７）の上限値を超えると、広角端から望遠端へのズーミングに際しての第１レンズ群Ｌ１の繰り出し量が増えて、全系が大型化するため好ましくない。条件式（７）の下限値を超えると、ズーミングに際して軸上収差の変動が大きくなるため、好ましくない。
【００４５】
条件式（８）の上限値を超えると、第２レンズ群Ｌ２より像側のレンズ群の有効径が増加し、全系が大径化して全体の軽量化が困難になる。条件式（８）の下限値を超えると、ズーミングに伴う軸上収差の変動が大きくなるため、好ましくない。
【００４６】
条件式（９）の上限値を超えると、広角端から望遠端へのズーミングに際して第３レンズ群Ｌ３の像側への移動量が増え、カム環が長くなり、本体が大型化するため好ましくない。条件式（９）の下限値を超えると、広角端から望遠端へのズーミングに際して軸上収差の変動が大きくなるため、好ましくない。
【００４７】
条件式（１０）の上限値を超えると、広角端から望遠端へのズーミングに際して第４レンズ群Ｌ４の像側への移動量が増えるため、全系が大型化するため好ましくない。条件式（１０）の下限値を超えると、ズーミングに際して軸上収差の変動が大きくなるため、好ましくない。
【００４８】
更に好ましくは条件式（３）乃至（１０）の数値範囲を次の如く設定するのが良い。
０．６＜ｆＬ１／ｆＬ２＜１．８        ・・・（３ａ）
０．２＜−ΔＭ１／Ｔｄｗ＜０．４０    ・・・（４ａ）
０．０５＜ΔＭ３／Ｔｄｗ＜０．１８    ・・・（５ａ）
０．２５＜ΔＤ１３／Ｔｄｗ＜０．６０  ・・・（６ａ）
０．８＜ｆＬ１／ｆｔ＜１．６          ・・・（７ａ）
０．７＜ｆＬ２／ｆｔ＜２．０          ・・・（８ａ）
０．１５＜−ｆＬ３／ｆｔ＜０．４０    ・・・（９ａ）
０．２＜ｆＬ４／ｆｔ＜０．５          ・・・（１０ａ）
【００４９】
各実施例において好ましくは次のレンズ構成とするのが良い。第１レンズ群Ｌ１は、負レンズと正レンズより構成されるのが良い。第１レンズ群Ｌ１はレンズ群内で収差補正されている必要があり、また軽量化のため、１枚の負レンズと１枚の正レンズより構成するのが良い。また、第２レンズ群Ｌ２は、１枚の正レンズを含む２枚以下のレンズより構成するのが良い。第２レンズ群Ｌ２は、第１レンズ群Ｌ１の正の屈折力の補助になるため、少なくとも１枚の正レンズより構成するのが良い。好ましくは２枚の正レンズより構成するのが良い。
【００５０】
そして第２レンズ群Ｌ２に含まれる１枚の正レンズは、物体側に凸面を向けたメニスカス形状とするのが良い。第２レンズ群Ｌ２は、第１レンズ群Ｌ１から第３レンズ群Ｌ３に向かう収斂光束の中にあるため、物体側に凸面を向けたメニスカス形状とすることで、光線を法線方向に近付けられるため、過剰な高次収差を発生させずに収差補正できるため、好ましい。
【００５１】
次に、広角端から望遠端へのズーミングに際して第３レンズ群Ｌ３は、像側に移動すると良い。第３レンズ群Ｌ３を像側に移動すれば、第１レンズ群Ｌ１との間隔を効率的に増加し易くなるため、好ましい。また第２レンズ群Ｌ２は、ズーミングに際し、不動であると良い。
【００５２】
広角端から望遠端へのズーミングに際して第１レンズ群Ｌ１を物体側に移動し、第３レンズ群Ｌ３を像側に移動することによってその中間に位置する第２レンズ群Ｌ２はズーミングに際し不動にすることが出来、それによりメカ構成が簡略化されるため好ましい。
【００５３】
実施例１において、第２レンズ群Ｌ２は、物体側に凸面を向けたメニスカス形状の正レンズよりなり、軸上収差を良好に補正している。第１レンズ群Ｌ１と第２レンズ群Ｌ２の間隔、第２レンズ群Ｌ２と第３レンズ群Ｌ３の間隔変化により、第２レンズ群Ｌ２を小径化しつつ、軸上色収差の変動を抑えている。また、第１レンズ群Ｌ１の移動量と第３レンズ群Ｌ３の移動量を適切に設定して、レンズ全長の小型化を図りつつ、ズーミングに伴う軸上収差の変動を補正している。
【００５４】
次に、第１レンズ群Ｌ１と第２レンズ群Ｌ２の屈折力を適切に設定して、第２レンズ群Ｌ２の軽量化とズーミングに伴う軸上収差の変動を補正している。第１レンズ群Ｌ１乃至第４レンズ群Ｌ４の屈折力を適切に設定して、全系の小型化及び軽量化を図りつつ、ズーミングに伴う軸上収差の変動を補正している。無限遠から近距離へのフォーカシングは第７レンズ群を像側に、第５レンズ群を物体側に移動することで行っている。像ぶれ補正用の防振レンズ群は第３レンズ群Ｌ３である。
【００５５】
実施例２において、第２レンズ群Ｌ２は、物体側に凸面を向けたメニスカス形状の負レンズと物体側に凸面を向けたメニスカス形状の正レンズを接合した接合レンズとして、軸上収差を良好に補正している。無限遠から近距離へのフォーカシングは第７レンズ群を像側に移動することで行っている。像ぶれ補正用の防振レンズ群は第３レンズ群Ｌ３である。この他のレンズ構成は実施例１と同様である。
【００５６】
実施例３は実施例２に比べて第２レンズ群Ｌ２を物体側に凸面を向けたメニスカス形状の正レンズと物体側に凸面を向けたメニスカス形状の負レンズを接合した接合レンズより構成した点が異なっている。この他の構成は実施例２と同じである。
【００５７】
実施例４において無限遠から近距離へのフォーカシングは第５レンズ群Ｌ５を像側へ移動することで行っている。
【００５８】
次に本発明のズームレンズを撮像光学系として用いたデジタルスチルカメラ（撮像装置）の実施例に関して図９を用いて説明する。
【００５９】
図９において、レンズシステム１は保持部材である鏡筒２に保持されている。２０はカメラ本体であり、レンズシステム１からの光束を上方に反射するクイックリターンミラー３、レンズシステム１の像形成装置に配置された焦点板４を有している。更に焦点板４に形成された逆像を正立像に変換するペンタダハプリズム５、その正立像を観察するための接眼レンズ６などを有している。
【００６０】
７は感光面であり、ＣＣＤセンサやＣＭＯＳセンサ等のレンズシステム１によって形成される像を受光する固体撮像素子（光電変換素子）が配置される。撮影時にはクイックリターンミラー３が光路から退避して、感光面７上にレンズシステム１によって像が形成される。
【００６１】
実施例１乃至４にて説明した利益は本実施例に開示したような撮像装置において効果的に享受される。撮像装置としてクイックリターンミラー３のないミラーレスの一眼レフカメラにも同様に適用できる。
【００６２】
以上、本発明の好ましい実施例について説明したが、本発明はこれらの実施例に限定されないことは言うまでもなく、その要旨の範囲内で種々の変形及び変更が可能である。
【００６３】
以下に実施例１乃至４に対応する数値データ１乃至４を示す。各数値データにおいてｉは物体側からの面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。
【００６４】
また、焦点距離、Ｆナンバー等のスペックに加え、全系の半画角、像高は半画角を決定する最大像高、レンズ全長は第１レンズ面から像面までの距離である。バックフォーカスＢＦは最終レンズ面から像面までの長さを示している。また、各レンズ群データは、各レンズ群とそれらの焦点距離を示している。ｅａｉは第ｉ面の有効径である。
【００６５】
また、各光学面の間隔ｄが（可変）となっている部分は、ズーミングに際して変化するものであり、別表に焦点距離に応じた面間隔を記している。尚、以下に記載する数値データ１乃至４のレンズデータに基づく、各条件式の計算結果を表１に示す。  
【００６６】
（数値データ１）
単位 mm
面データ
面番号       r        d      nd         νd       有効径
1         77.876    2.90   1.83400    37.2       67.67
2         58.365    0.15                         65.03
3         57.714   12.31   1.43387    95.1       65.14
4       3265.962  (可変)                         64.67
5         62.166    5.29   1.49700    81.5       47.10
6        283.921  (可変)                         46.39
7      -2565.283    1.50   1.77250    49.6       32.43
8         43.446    5.17                         31.00
9        -54.195    1.50   1.60311    60.6       31.00
10         51.726    4.59   1.90366    31.3       32.44
11       -289.087  (可変)                         32.57
12(絞り)(SP)∞       1.00                         (可変)
13        136.885    4.46   1.76385    48.5       32.81
14        -72.151  (可変)                         32.70
15        -36.684    1.50   1.85478    24.8       29.00
16        147.718    0.15                         30.03
17         84.403    3.64   1.89286    20.4       30.58
18       -184.640  (可変)                         30.84
19(SSP)     ∞       4.00                         31.44
20       -189.924    4.10   1.76385    48.5       32.48
21        -44.163    0.15                         33.00
22         90.178    7.36   1.59522    67.7       33.23
23        -34.578    1.70   1.90366    31.3       33.08
24       -209.530    0.15                         33.61
25         68.698    3.53   1.59522    67.7       33.75
26        834.826  (可変)                         33.56
27        807.473    1.60   1.83481    42.7       30.98
28         43.535  (可変)                         30.31
29       -662.294    1.80   1.53172    48.8       34.21
30         44.273    6.75   1.68893    31.1       35.21
31       -120.619  (可変)                         35.35
32        -57.107    1.80   1.59522    67.7       36.09
33       -232.185                                 37.31
【００６７】
各種データ
ズーム比     2.71 
広角     中間     望遠
焦点距離      72.00   135.00   194.98  
Fナンバー      2.90     3.19     3.36  
半画角（度）  16.72     9.11     6.33  
像高          21.64    21.64    21.64  
レンズ全長   172.73   218.46   231.71  
BF            14.37    24.57    33.27  
d 4            1.00    46.74    60.00  
d 6            1.54    14.80    24.44  
d11           22.49    11.83     2.05  
d14            4.63     7.36     8.54  
d18            8.72     3.39     2.34  
d26           13.84     8.23     1.50  
d28            7.44    13.05    19.78  
d31           21.60    11.40     2.69 
ea12          28.14    31.02    32.70
入射瞳位置    50.38   169.98   234.87  
射出瞳位置   -57.02   -55.16   -57.46  
前側主点位置  49.77    76.40    10.85  
後側主点位置 -57.63  -110.42  -161.71  
レンズ群データ
群  始面    焦点距離  レンズ構成長  前側主点位置  後側主点位置
1    1     254.46        15.36        -2.78        -13.04
2    5     158.89         5.29        -0.98         -4.48
3    7     -49.87        12.76         0.57         -8.94
4   12      62.43         5.46         2.67         -0.88
5   15     -75.45         5.29        -1.46         -4.42
6   19      43.42        20.99         7.91         -6.54
7   27     -55.17         1.60         0.92          0.05
8   29     118.97         8.55         4.00         -1.20
9   32    -127.73         1.80        -0.37         -1.50
単レンズデータ
レンズ  始面  焦点距離
1       1   -299.57
2       3    135.26
3       5    158.89
4       7    -55.29
5       9    -43.65
6      10     48.87
7      13     62.43
8      15    -34.25
9      17     65.29
10      20     74.43
11      22     42.94
12      23    -46.04
13      25    125.55
14      27    -55.17
15      29    -77.98
16      30     47.81
17      32   -127.73
【００６８】
（数値データ２）
単位 mm
面データ
面番号       r        d      nd         νd       有効径
1         78.155    2.90   1.77250    49.6       70.25
2         54.634    0.15                         66.91
3         53.938   14.27   1.43387    95.1       66.96
4       -534.187  (可変)                         66.40
5         56.483    2.00   1.85478    24.8       42.53
6         43.013    4.01   1.76385    48.5       41.02
7         73.228  (可変)                         40.21
8      -1082.949    1.50   1.77250    49.6       30.65
9         46.579    4.41                         29.55
10        -58.590    1.50   1.67790    55.3       29.55
11         50.072    4.53   1.90366    31.3       30.92
12       -233.783  (可変)                         31.38
13(絞り)(SP)∞       1.00                         (可変)
14         87.566    4.44   1.76385    48.5       31.93
15        -87.761  (可変)                         31.79
16        -36.856    1.50   1.85478    24.8       28.16
17        105.022    0.15                         30.07
18         81.783    4.08   1.89286    20.4       30.71
19       -110.615  (可変)                         31.27
20(SSP)     ∞       2.38                         (可変)
21       -152.398    4.00   1.76385    48.5       32.67
22        -42.517    0.15                         33.18
23         94.545    7.35   1.59522    67.7       33.16
24        -33.361    1.70   1.90366    31.3       32.95
25       -209.286    0.15                         33.36
26         69.320    3.42   1.59522    67.7       33.36
27       1082.777  (可変)                         33.15
28       1049.827    1.60   1.83481    42.7       31.74
29         44.859  (可変)                         30.93
30        163.343    1.80   1.48749    70.2       35.67
31         31.444    9.11   1.62588    35.7       36.93
32       -109.235    4.96                         37.00
33        -58.709    1.80   1.83481    42.7       36.54
34      -1854.055                                 37.57
【００６９】
各種データ
ズーム比     2.71 
広角     中間     望遠
焦点距離      72.00   134.99   194.97  
Fナンバー      2.91     2.91     2.98  
半画角（度）  16.73     9.11     6.33  
像高          21.64    21.64    21.64  
レンズ全長   172.73   219.96   231.71  
BF            14.37    18.40    28.12  
d 4            1.00    48.24    60.00  
d 7            2.85    15.42    25.02  
d12           20.19    11.19     1.99  
d15            5.12     8.15    10.32  
d19            9.96     3.36     0.80  
d27           16.51     9.32     1.50  
d29           17.87    21.01    19.11 
ea13          28.04    30.02    31.60
ea20          30.14    29.65    28.87
入射瞳位置    51.62   186.74   258.13  
射出瞳位置   -55.62   -54.05   -50.22  
前側主点位置  49.56    70.20   -32.15  
後側主点位置 -57.63  -116.59  -166.86  
レンズ群データ
群  始面    焦点距離  レンズ構成長  前側主点位置  後側主点位置
1    1     214.59        17.32         0.19        -11.65
2    5     322.32         6.01       -12.02        -14.82
3    8     -49.26        11.93         0.66         -8.00
4   13      58.02         5.44         2.27         -1.27
5   16     -85.50         5.73        -2.48         -5.75
6   20      44.93        19.16         6.34         -6.35
7   28     -56.18         1.60         0.91          0.04
8   30    1758.99        17.67      -200.55       -191.35
単レンズデータ
レンズ  始面  焦点距離
1       1   -248.34
2       3    113.75
3       5   -226.51
4       6    129.06
5       8    -57.78
6      10    -39.61
7      11     45.98
8      14     58.02
9      16    -31.76
10      18     53.19
11      21     76.00
12      23     42.34
13      24    -44.12
14      26    124.27
15      28    -56.18
16      30    -80.24
17      31     40.01
18      33    -72.66
【００７０】
（数値データ３）
単位 mm
面データ
面番号       r        d      nd         νd       有効径
1         78.561    2.90   1.77250    49.6       67.31
2         55.112    0.15                         64.87
3         54.419   14.15   1.43387    95.1       65.03
4       -539.844  (可変)                         64.58
5         57.664    4.11   1.76385    48.5       43.73
6        136.488    1.80   1.85478    24.8       42.93
7         76.413  (可変)                         41.40
8      -1288.838    1.50   1.77250    49.6       30.72
9         45.855    4.49                         29.68
10        -57.359    1.50   1.67790    55.3       29.68
11         49.762    4.60   1.90366    31.3       31.21
12       -213.847  (可変)                         31.42
13(絞り)(SP)∞       1.00                         (可変)
14         88.708    4.44   1.76385    48.5       32.11
15        -87.343  (可変)                         31.99
16        -37.080    1.50   1.85478    24.8       28.20
17        105.127    0.15                         30.13
18         81.672    4.05   1.89286    20.4       30.77
19       -113.017  (可変)                         31.29
20(SSP)     ∞       2.40                         (可変)
21       -149.471    3.97   1.76385    48.5       32.78
22        -42.641    0.15                         33.20
23         92.161    7.34   1.59522    67.7       33.23
24        -33.666    1.70   1.90366    31.3       33.04
25       -216.035    0.15                         33.45
26         69.805    3.44   1.59522    67.7       33.46
27       1465.166  (可変)                         33.21
28       1420.225    1.60   1.83481    42.7       31.84
29         45.004  (可変)                         31.03
30        174.343    1.80   1.48749    70.2       35.70
31         32.033    8.98   1.62588    35.7       37.00
32       -108.719    5.22                         37.08
33        -58.687    1.80   1.83481    42.7       36.59
34       -985.284                                 37.63
【００７１】
各種データ
ズーム比     2.71 
広角     中間     望遠
焦点距離      72.00   134.99   194.97  
Fナンバー      2.90     2.90     2.90  
半画角（度）  16.73     9.11     6.33  
像高          21.64    21.64    21.64  
レンズ全長   172.73   220.23   231.71  
BF            14.37    18.47    28.28  
d 4            1.00    48.51    60.00  
d 7            2.78    15.28    25.08  
d12           20.12    11.19     1.94  
d15            5.11     8.14    10.28  
d19           10.08     3.48     0.80  
d27           16.55     9.36     1.50  
d29           17.83    20.91    18.96  
ea13          28.11    30.14    31.77
ea20          30.34    29.84    32.38
入射瞳位置    51.17   186.38   257.66  
射出瞳位置   -56.16   -54.55   -50.51  
前側主点位置  49.67    71.80   -29.89  
後側主点位置 -57.63  -116.53  -166.70  
レンズ群データ
群  始面    焦点距離  レンズ構成長  前側主点位置  後側主点位置
1    1     214.99        17.20         0.17        -11.58
2    5     312.32         5.91       -11.04        -13.84
3    8     -49.36        12.10         0.57         -8.24
4   13      58.25         5.44         2.28         -1.26
5   16     -85.31         5.70        -2.42         -5.67
6   20      44.85        19.14         6.36         -6.34
7   28     -55.70         1.60         0.90          0.03
8   30     1457.01        17.80      -162.69       -157.85
単レンズデータ
レンズ  始面  焦点距離
1       1   -252.64
2       3    114.77
3       5    127.83
4       6   -205.95
5       8    -57.29
6      10    -39.09
7      11     45.05
8      14     58.25
9      16    -31.91
10      18     53.63
11      21     76.87
12      23     42.35
13      24    -44.33
14      26    123.03
15      28    -55.70
16      30    -80.84
17      31     40.53
18      33    -74.82
【００７２】
（数値データ４）
単位 mm
面データ
面番号       r        d      nd         νd       有効径
1          ∞       1.80                         50.05
2         55.130    2.90   1.78590    44.2       48.89
3         39.917    0.15                         46.76
4         39.526   10.06   1.43387    95.1       46.85
5      14978.990  (可変)                         46.29
6         51.873    2.63   1.49700    81.5       33.70
7         87.550  (可変)                         33.12
8         68.052    1.50   1.77250    49.6       28.70
9         39.455    3.89                         27.64
10        -77.709    1.50   1.51633    64.1       27.61
11         44.651    3.06   1.85026    32.3       27.59
12        132.470  (可変)                         27.40
13(絞り)    ∞       1.00                         (可変)
14         90.503    3.68   1.51633    64.1       27.20
15        -73.505   21.25                         27.01
16        -28.162    1.50   1.85478    24.8       18.99
17         69.517    0.15                         19.91
18         60.910    2.78   1.89286    20.4       20.17
19        -98.098   15.44                         20.60
20        -89.527    3.41   1.76385    48.5       28.55
21        -35.570    0.15                         29.28
22        127.364    6.47   1.51823    58.9       30.36
23        -29.939    1.70   1.90366    31.3       30.48
24        -76.991    0.15                         31.78
25         66.893    4.38   1.53775    74.7       32.62
26       -138.711  (可変)                         32.57
27       -761.465    1.60   1.77250    49.6       28.87
28         36.368  (可変)                         28.41
29       -797.229    1.80   1.49700    81.5       34.27
30         31.423    8.21   1.74951    35.3       37.15
31       -204.385    7.14                         37.24
32        -67.366    1.80   1.83481    42.7       37.17
33       -499.883                                 38.19
【００７３】
各種データ
ズーム比     1.95
広角     中間     望遠
焦点距離      99.99   149.97   194.94  
Fナンバー      3.99     3.91     4.04  
半画角（度）  12.21     8.21     6.33  
像高          21.64    21.64    21.64  
レンズ全長   169.51   199.37   208.48  
BF            14.37    24.91    25.16  
d 5            1.01    30.88    40.00  
d 7            0.73     4.14    10.35  
d12           12.82     9.41     3.20  
d26           15.38     7.92     1.50  
d28           15.10    12.00    18.17  
ea13          22.64    52.25    27.29
入射瞳位置    41.34   102.73   133.05  
射出瞳位置   -73.22   -69.99   -75.91  
前側主点位置  27.18    15.69   -48.01  
後側主点位置 -85.62  -125.06  -169.78  
ズームレンズ群データ
群  始面    焦点距離  レンズ構成長  前側主点位置  後側主点位置
1    1     174.61        14.91        -0.42        -10.96
2    6     250.00         2.63        -2.50         -4.21
3    8     -72.44         9.95         3.84         -3.48
4   13      50.59        62.05        59.08        -17.46
5   27     -44.89         1.60         0.86         -0.04
6   29     693.05        18.95       -72.06        -77.84
単レンズデータ
レンズ  始面  焦点距離
1       1   -200.93
2       4     91.32
3       6    250.00
4       8   -124.39
5      10    -54.69
6      11     77.97
7      14     79.16
8      16    -23.28
9      18     42.44
10      20     75.21
11      22     47.44
12      23    -55.16
13      25     84.55
14      27    -44.89
15      29    -60.79
16      30     36.89
17      32    -93.44
【００７４】
【表１】
2019045555.tif 000003
【符号の説明】
【００７５】
Ｌ０  ズームレンズ      Ｌ１  第１レンズ群      Ｌ２  第２レンズ群
Ｌ３  第３レンズ群      Ｌ４  第４レンズ群      Ｌ５  第５レンズ群
Ｌ６  第６レンズ群      Ｌ７  第７レンズ群      Ｌ８  第８レンズ群
Ｌ９  第９レンズ群      ＬＲ  後群
【図１】
2019045555.tif 000004
【図２】
2019045555.tif 000005
【図３】
2019045555.tif 000006
【図４】
2019045555.tif 000007
【図５】
2019045555.tif 000008
【図６】
2019045555.tif 000009
【図７】
2019045555.tif 000010
【図８】
2019045555.tif 000011
【図９】
2019045555.tif 000012